(57)【要約】【課題】ＨＳＤＰＡ通信において、電界環境がよいエリアを知ることが可能な通信システムを提供する。【解決手段】位置情報検出部は、携帯電話の現在の位置を示す位置情報を取得する。ＣＰＵは、その位置情報を通知する。通信部２０２がその位置情報を受信すると、管理部２０４は、その位置情報と、格納部２０１内のデータベースとに基づいて、ＨＳＤＰＡ通信による通信品質が、少なくともその現在の位置を含む範囲内の位置を示す位置情報ごとに対応付けられた品質情報を生成し、その品質情報を携帯電話１に通知する。ＲＦ部がその品質情報を受信すると、ＬＣＤは、その品質情報を表示する。【選択図】図４
2008288777.tif 000002
【特許請求の範囲】
【請求項１】
ＨＳＤＰＡ通信を行う携帯端末と接続可能なサーバであって、
前記ＨＳＤＰＡ通信による前記携帯端末の過去の受信品質を位置情報ごとに対応付けたデータベースを記憶する格納部と、
前記携帯端末から、現在の位置を示す位置情報と、前記ＨＳＤＰＡ通信による通信品質が、少なくとも該位置情報が示す位置を含む範囲内の位置を示す位置情報ごとに対応付けられた品質情報を取得する旨の取得指示と、を受信する通信部と、
前記通信部が受信した位置情報と、前記格納部内のデータベースと、を用いて、前記品質情報を生成し、該品質情報を前記携帯端末に通知する管理部と、を含むサーバ。
【請求項２】
請求項１に記載のサーバにおいて、
前記携帯端末は、基地局を介して前記ＨＳＤＰＡ通信を行い、
前記サーバは、前記基地局の通信トラフィックを測定する測定部を含み、
前記管理部は、前記測定部が測定した通信トラフィックをさらに用いて、前記品質情報を生成する、サーバ。
【請求項３】
請求項１または２に記載のサーバにおいて、
前記データベースでは、通信の障害物に関する障害物情報がさらに前記位置情報ごとに対応付けられている、サーバ。
【請求項４】
請求項１ないし３のいずれか１項に記載のサーバにおいて、
前記管理部は、定期的に、前記携帯端末から、前記ＨＳＤＰＡ通信による前記携帯端末の受信品質を取得し、該受信品質に応じて通知周期を求め、該通知周期で前記品質情報を生成する、サーバ。
【請求項５】
請求項１ないし３のいずれか１項に記載のサーバにおいて、
前記管理部は、定期的に、前記携帯端末から、前記位置情報を取得し、該位置情報に基づいて前記携帯端末の移動速度を求め、該移動速度に応じて通知周期を求め、該通知周期で前記品質情報を生成する、サーバ。
【請求項６】
請求項３に記載のサーバにおいて、
前記管理部は、定期的に、前記携帯端末から、前記位置情報を取得し、該位置情報と前記格納部内のデータベースの障害物情報とに基づいて、通知周期を求め、該通知周期で前記品質情報を生成する、サーバ。
【請求項７】
請求項１ないし６のいずれか１項に記載のサーバにおいて、
前記通信部は、前記携帯端末から、前記受信品質および前記位置情報を受信し、
前記管理部は、前記通信部が受信した受信品質を、前記通信部が受信した位置情報と対応付けて、前記格納部に前記過去の受信品質として記憶する、サーバ。
【請求項８】
サーバと接続可能な携帯端末であって、
自端末の現在の位置を示す位置情報を取得する取得部と、
前記取得部が取得した位置情報と、ＨＳＤＰＡ通信による通信品質が、少なくとも該位置情報が示す位置を含む範囲内の位置を示す位置情報ごとに対応付けられた品質情報を取得する旨の取得指示と、を前記サーバに通知する制御部と、
前記サーバから、前記品質情報を受信する受信部と、
前記受信部が受信した品質情報を表示する表示部と、を含む携帯端末。
【請求項９】
請求項８に記載の携帯端末であって、
表示周期を記憶する記憶部を含み、
前記制御部は、前記表示周期で、前記取得指示および前記位置情報を前記サーバに通知する、携帯端末。
【請求項１０】
請求項８に記載の携帯端末であって、
前記ＨＳＤＰＡ通信による受信品質を検出する通信制御部と、
前記制御部は、定期的に、前記通信制御部が検出した受信品質が予め定められた基準品質以上か否かを判定し、該受信品質が該基準品質未満であると、前記取得指示および前記位置情報を前記サーバに通知する、携帯端末。
【請求項１１】
請求項８に記載の携帯端末であって、
前記制御部は、定期的に、前記取得部が取得した位置情報から自端末の移動速度を求め、該移動速度が予め定められた基準速度以上か否かを判定し、該移動速度が該基準速度以上であると、前記取得指示および前記位置情報を前記サーバに通知する、携帯端末。
【請求項１２】
請求項８ないし１１のいずれか１項に記載の携帯端末において、
前記品質情報の表示形式を示す形式情報を記憶する記憶部を含み、
前記制御部は、前記受信部が受信した品質情報を、前記記憶部内の形式情報が示す表示形式に変換し、
前記表示部は、前記制御部が変換した品質情報を表示する、携帯端末。
【請求項１３】
ＨＳＤＰＡ通信を行う携帯端末と、前記携帯端末と接続可能なサーバと、を含む通信システムであって、
前記携帯端末は、
自端末の現在の位置を示す位置情報を取得する取得部と、
前記取得部が取得した位置情報と、前記ＨＳＤＰＡ通信による通信品質が、少なくとも該位置情報が示す位置を含む範囲内の位置を示す位置情報ごとに対応付けられた品質情報を取得する旨の取得指示と、を前記サーバに通知する制御部と、
前記サーバから、前記品質情報を受信する受信部と、
前記受信部が受信した品質情報を表示する表示部と、を含み、
前記サーバは、
前記携帯端末の前記ＨＳＤＰＡ通信による過去の受信品質を位置情報ごとに対応付けたデータベースを記憶する格納部と、
前記携帯端末から、前記取得指示および前記位置情報を受信する通信部と、
前記通信部が受信した位置情報と、前記格納部内のデータベースと、を用いて、前記品質情報を生成し、該品質情報を前記携帯端末に通知する管理部と、を含む、通信システム。
【請求項１４】
携帯端末のＨＳＤＰＡ通信による過去の受信品質を位置情報ごとに対応付けたデータベースを記憶する格納部を含み前記携帯端末と接続可能なサーバが行う電界環境通知方法であって、
前記携帯端末から、現在の位置を示す位置情報と、前記ＨＳＤＰＡ通信による通信品質が、少なくとも該位置情報が示す位置を含む範囲内の位置を示す位置情報ごとに対応付けられた品質情報を取得する旨の取得指示と、を受信する受信ステップと、
前記受信された位置情報と、前記格納部内のデータベースと、を用いて、前記品質情報を生成する生成ステップと、
前記生成された品質情報を前記携帯端末に通知する通知ステップと、を含む電界環境通知方法。
【請求項１５】
サーバと接続可能な携帯端末が行う電界環境表示方法であって、
現在の位置を示す位置情報を取得する取得ステップと、
前記取得された位置情報と、ＨＳＤＰＡ通信による通信品質が、少なくとも該位置情報が示す位置を含む範囲内の位置を示す位置情報ごとに対応付けられた品質情報を取得する旨の取得指示と、を前記サーバに通知する通知ステップと、
前記サーバから、前記品質情報を受信する受付ステップと、
前記受信された品質情報を表示する表示ステップと、を含む電界環境表示方法。
【請求項１６】
ＨＳＤＰＡ通信を行う携帯端末と、前記携帯端末の前記ＨＳＤＰＡ通信による過去の受信品質を位置情報ごとに対応付けたデータベースを記憶する格納部を含み前記携帯端末と接続可能なサーバと、を含む通信システムが行う電界環境表示方法であって、
前記携帯端末が、自端末の現在の位置を示す位置情報を取得する取得ステップと、
前記携帯端末が、前記取得された位置情報と、前記ＨＳＤＰＡ通信による通信品質が、少なくとも該位置情報が示す位置を含む範囲内の位置を示す位置情報ごとに対応付けられた品質情報を取得する旨の取得指示と、を通知する通知ステップと、
前記サーバが、前記携帯端末から、前記位置情報を受信する受信ステップと、
前記サーバが、前記受信された位置情報と、前記格納部内のデータベースと、を用いて、前記品質情報を生成する生成ステップと、
前記サーバが、前記生成された品質情報を前記携帯端末に通知する通知ステップと、
前記携帯端末が、前記サーバから、前記品質情報を受信する受付ステップと、
前記携帯端末が、前記受信された品質情報を表示する表示ステップと、を含む電界環境表示方法。
【発明の詳細な説明】
【技術分野】
【０００１】
本発明は、携帯端末の電界環境を通知可能なサーバ、携帯端末、通信システム、電界環境通知方法および電界環境表示方法に関する。
【背景技術】
【０００２】
従来の携帯端末では、現在の位置の電界環境が表示されていたが、電界環境がよいエリアを知ることができなかった。
【０００３】
特許文献１（特開２００５−２２３６３３号公報）には、電界環境がよいエリアを知ることが可能な電波環境情報サービスシステムが記載されている。
【０００４】
この電波環境情報サービスシステムでは、携帯端末は、サーバに、受信品質と位置情報とを通知する。サーバは、その位置情報を用いて、予め保持している地図情報に受信品質を関連付ける。携帯端末は、サーバにアクセスして、その受信品質の良いエリアを表示する。
【０００５】
これにより、受信品質は電界環境に依存するので、電界環境がよいエリアを知ることが可能になる。
【特許文献１】特開２００５−２２３６３３号公報
【発明の開示】
【発明が解決しようとする課題】
【０００６】
また、近年、データの高速通信を実現するＨＳＤＰＡ（High-Speed Downlink Packet Access）が提案されている。
【０００７】
このＨＳＤＰＡ通信による通信速度は、周囲の電界環境により著しく変動する。このため、電界環境が時間と共に急激に変化するような不安定な電界環境では、ＨＳＤＰＡ通信を有効に利用することができなかった。
【０００８】
特許文献１には、ＨＳＤＰＡ通信において、電界環境がよいエリアを知ること方法は、記載されていない。
【０００９】
本発明の目的は、ＨＳＤＰＡ通信において、電界環境がよいエリアを知ることが可能なサーバ、携帯端末、通信システム、電界環境通知方法および電界環境表示方法を提供することである。
【課題を解決するための手段】
【００１０】
上記の目的を達成するために、本発明によるサーバは、ＨＳＤＰＡ通信を行う携帯端末と接続可能なサーバであって、前記ＨＳＤＰＡ通信による前記携帯端末の過去の受信品質を位置情報ごとに対応付けたデータベースを記憶する格納部と、前記携帯端末から、現在の位置を示す位置情報と、前記ＨＳＤＰＡ通信による通信品質が、少なくとも該位置情報が示す位置を含む範囲内の位置を示す位置情報ごとに対応付けられた品質情報を取得する旨の取得指示と、を受信する通信部と、前記通信部が受信した位置情報と、前記格納部内のデータベースと、を用いて、前記品質情報を生成し、該品質情報を前記携帯端末に通知する管理部と、を含む。
【００１１】
また、本発明による電界環境通知方法は、携帯端末のＨＳＤＰＡ通信による過去の受信品質を位置情報ごとに対応付けたデータベースを記憶する格納部を含み前記携帯端末と接続可能なサーバが行う電界環境通知方法であって、前記携帯端末から、現在の位置を示す位置情報と、前記ＨＳＤＰＡ通信による通信品質が、少なくとも該位置情報が示す位置を含む範囲内の位置を示す位置情報ごとに対応付けられた品質情報を取得する旨の取得指示と、を受信する受信ステップと、前記受信された位置情報と、前記格納部内のデータベースと、を用いて、前記品質情報を生成する生成ステップと、前記生成された品質情報を前記携帯端末に通知する通知ステップと、を含む。
【００１２】
また、本発明による携帯端末は、サーバと接続可能な携帯端末であって、自端末の現在の位置を示す位置情報を取得する取得部と、前記取得部が取得した位置情報と、ＨＳＤＰＡ通信による通信品質が、少なくとも該位置情報が示す位置を含む範囲内の位置を示す位置情報ごとに対応付けられた品質情報を取得する旨の取得指示と、を前記サーバに通知する制御部と、前記サーバから、前記品質情報を受信する受信部と、前記受信部が受信した品質情報を表示する表示部と、を含む。
【００１３】
また、本発明による電界環境表示方法は、サーバと接続可能な携帯端末が行う電界環境表示方法であって、現在の位置を示す位置情報を取得する取得ステップと、前記取得された位置情報と、前記ＨＳＤＰＡ通信による通信品質が、少なくとも該位置情報が示す位置を含む範囲内の位置を示す位置情報ごとに対応付けられた品質情報を取得する旨の取得指示と、を前記サーバに通知する通知ステップと、前記サーバから、前記品質情報を受信する受付ステップと、前記受信された品質情報を表示する表示ステップと、を含む。
【００１４】
また、本発明による通信システムは、ＨＳＤＰＡ通信を行う携帯端末と、前記携帯端末と接続可能なサーバと、を含む通信システムであって、前記携帯端末は、自端末の現在の位置を示す位置情報を取得する取得部と、前記取得部が取得した位置情報と、前記ＨＳＤＰＡ通信による通信品質が、少なくとも該位置情報が示す位置を含む範囲内の位置を示す位置情報ごとに対応付けられた品質情報を取得する旨の取得指示と、を前記サーバに通知する制御部と、前記サーバから、前記品質情報を受信する受信部と、前記受信部が受信した品質情報を表示する表示部と、を含み、前記サーバは、前記携帯端末の前記ＨＳＤＰＡ通信による過去の受信品質を位置情報ごとに対応付けたデータベースを記憶する格納部と、前記携帯端末から、前記取得指示および前記位置情報を受信する通信部と、前記通信部が受信した位置情報と、前記格納部内のデータベースと、を用いて、前記品質情報を生成し、該品質情報を前記携帯端末に通知する管理部と、を含む。
【００１５】
また、本発明による通信システムが行う電界環境表示方法は、ＨＳＤＰＡ通信を行う携帯端末と、前記携帯端末の前記ＨＳＤＰＡ通信による過去の受信品質を位置情報ごとに対応付けたデータベースを記憶する格納部を含み前記携帯端末と接続可能なサーバと、を含む通信システムが行う電界環境表示方法であって、前記携帯端末が、自端末の現在の位置を示す位置情報を取得する取得ステップと、前記携帯端末が、前記取得された位置情報と、前記ＨＳＤＰＡ通信による通信品質が、少なくとも該位置情報が示す位置を含む範囲内の位置を示す位置情報ごとに対応付けられた品質情報を取得する旨の取得指示と、を通知する通知ステップと、前記サーバが、前記携帯端末から、前記位置情報を受信する受信ステップと、前記サーバが、前記受信された位置情報と、前記格納部内のデータベースと、を用いて、前記品質情報を生成する生成ステップと、前記サーバが、前記生成された品質情報を前記携帯端末に通知する通知ステップと、前記携帯端末が、前記サーバから、前記品質情報を受信する受付ステップと、前記携帯端末が、前記受信された品質情報を表示する表示ステップと、を含む。
【発明の効果】
【００１６】
本発明によれば、ＨＳＤＰＡ通信において、電界環境がよいエリアを知ることが可能になる。
【発明を実施するための最良の形態】
【００１７】
以下、本発明の実施例について図面を参照して説明する。
【００１８】
図１は、本発明の一実施例の通信システムを示したブロック図である。
【００１９】
図１において、通信システムは、携帯電話１と、サーバ２とを含む。携帯電話１およびサーバ２は、基地局３を介して相互に接続可能である。なお、基地局３は、複数あってもよい。基地局３が複数ある場合、携帯電話１およびサーバ２は、複数の基地局３のいずれか一つを介して相互に接続される。
【００２０】
携帯電話１は、携帯端末の一例であり、基地局３を介してＨＳＤＰＡ通信を行う。なお、携帯端末は、携帯電話に限らず適宜変更可能である。また、携帯電話１は、複数あってもよい。
【００２１】
先ず、携帯電話１の構成について説明する。
【００２２】
図２は、携帯電話１の構成例を示したブロック図である。図２において、携帯電話１は、位置情報検出部１０１と、水平情報検出部１０２と、方位情報検出部１０３と、ＲＦ部１０４と、ＢａｓｅＢａｎｄ部１０５と、記憶部１０６と、ＣＰＵ１０７と、ＬＣＤ１０８とを含む。
【００２３】
位置情報検出部１０１は、ＧＰＳ機能を有する。位置情報検出部１０１は、定期的に、ＧＰＳ機能を用いて携帯電話１の現在の位置を検出し、その位置を示す位置情報を取得する。位置情報検出部１０１は、その位置情報をＣＰＵ１０７に提供する。位置情報は、緯度、経度および高度を示す。
【００２４】
水平情報検出部１０２は、例えば、傾斜センサである。水平情報検出部１０２は、定期的に、携帯電話１の傾きを検出し、その傾きを示す傾き情報を取得する。水平情報検出部１０２は、その傾き情報をＣＰＵ１０７に提供する。
【００２５】
携帯電話１の傾きは、例えば、水平面（鉛直方向に対して垂直な平面）を規定する、互いに異なる２つ方向のそれぞれに対する２つの傾きである。
【００２６】
方位情報検出部１０３は、例えば、地磁気センサである。方位情報検出部１０３は、定期的に、携帯電話１の方位を検出し、その方位を示す方位情報を取得する。方位情報検出部１０３は、その方位情報をＣＰＵ１０７に提供する。
【００２７】
携帯電話１の方位は、例えば、携帯電話１のＬＣＤ１０８を有する面が向いている方位である。
【００２８】
ＲＦ部１０４は、受信部の一例であり、無線通信のインターフェースである。
【００２９】
例えば、ＲＦ部１０４は、サーバ２から、携帯電話１の現在の位置を示す位置情報に対する品質情報と、位置情報を取得する旨の位置取得指示と、受信品質を取得する旨の品質取得指示と、を受信する。品質情報では、ＨＳＤＰＡ通信による通信品質が、少なくともその現在の位置を含む対象範囲内の位置ごとに対応付けられている。
【００３０】
通信品質は、例えば、下り方向の通信速度である。なお、下り方向の通信速度は、電波環境に依存する。以下、通信品質を、下り方向の通信速度とする。
【００３１】
ＢａｓｅＢａｎｄ部１０５は、通信制御部の一例であり、無線通信を制御する。また、ＢａｓｅＢａｎｄ部１０５は、ＨＳＤＰＡ通信による受信品質を検出し、その受信品質をＣＰＵ１０７に提供する。なお、受信品質は、例えば、ＨＳ―ＤＰＣＣＨ（High Speed-Dicated PhysicalControl Channel）におけるＣＱＩ（Channel Quality Indicator）である。
【００３２】
記憶部１０６は、例えば、メモリであり、携帯電話１に関する種々の情報を記憶する。例えば、記憶部１０６は、品質情報の表示形式を示す形式情報と、携帯電話１を特定する識別子とを記憶する。形式情報は、品質情報内の位置情報の表示範囲の大きさを規定する規定情報を含む。規定情報は、例えば、対象範囲が正方形の場合、その正方形の一辺の長さを示し、対象範囲が円の場合、その円の半径を示す。
【００３３】
ＣＰＵ１０７は、制御部の一例であり、携帯電話１の各部を制御する。具体的には、ＣＰＵ１０７は、以下の処理を行う。
【００３４】
ＣＰＵ１０７は、ＨＳＤＰＡ通信の開始時に、品質情報を取得する旨の取得指示と、位置情報検出部１０１が取得した位置情報と、記憶部１０６内の識別子および規定情報と、を定期的にサーバ２に通知する。
【００３５】
また、ＣＰＵ１０７は、ＨＳＤＰＡ通信中に、受信品質を登録する旨の登録指示と、位置情報検出部１０１が取得した位置情報と、ＢａｓｅＢａｎｄ部１０５が検出した受信品質と、を定期的にサーバ２に通知する。
【００３６】
また、ＣＰＵ１０７は、ＲＦ部１０４が位置取得指示を受信すると、そのときに位置情報検出部１０１が取得した位置情報と、記憶部１０６内の識別子および規定情報とをサーバ２に通知する。
【００３７】
さらに、ＣＰＵ１０７は、ＲＦ部１０４が品質取得指示を受信すると、そのときにＢａｓｅＢａｎｄ部１０５が検出した受信品質を、記憶部１０６内の識別子とをサーバ２に通知する。
【００３８】
また、ＣＰＵ１０７は、ＲＦ部１０４が品質情報を受信すると、その品質情報を、記憶部１０６内の形式情報が示す表示形式に変換する。このとき、ＣＰＵ１０７は、位置情報検出部１０１が取得した位置情報、水平情報検出部１０２が取得した傾き情報、および、方位情報検出部１０３が取得した方位情報の少なくともいずれか一つを用いて、品質情報を変換することもある。
【００３９】
ＬＣＤ１０８は、表示部の一例であり、ＣＰＵ１０７が変換した品質情報を表示する。
なお、表示部は、ＬＣＤに限らず適宜変更可能である。
【００４０】
図３は、ＬＣＤ１０８に表示された品質情報の一例を示した説明図である。
【００４１】
図３において、ＬＣＤ１０８には、品質情報３０１と、現在位置３０２と、表示説明３０３とが表示されている。
【００４２】
品質情報３０１の位置情報のそれぞれは、正方形状のブロックで表される。
【００４３】
なお、図３では、ブロックの一辺の長さは、実距離の１００ｍを表す。しかしながら、ブロックの一辺の長さが表す実距離は、１００ｍに限らず適宜変更可能である。例えば、ブロックの一辺の長さが表す実距離は、１０ｍまたは１０００ｍなどでもよい。
【００４４】
また、ブロックの数は、縦横が５×５の２５個で表示されているが、ブロックの数は、２５個に限らず適宜変更可能である。例えば、ブロックの数は、縦横が３×３の９個でもよいし、１００×１００の１００００個でもよい。
【００４５】
また、品質情報３０１の通信品質は、そのブロックの色で表される。ブロックの色は、その通信品質に応じて異なる。
【００４６】
例えば、通信品質が１Ｍｂｐｓ以上を必要とされている場合、通信品質は、その通信品質の範囲「５００Ｋｂｐｓ未満」、「５００Ｋｂｐｓ以上かつ１Ｍｂｐｓ未満」、「１Ｍｂｐｓ以上かつ２Ｍｂｐｓ未満」および「２Ｍｂｐｓ以上」のそれぞれに応じて異なる色で表される。
【００４７】
また、通信品質が特に限定されない場合、通信品質は、その通信品質の範囲「３００Ｋｂｐｓ未満」、「３００Ｋｂｐｓ以上かつ６００Ｋｂｐｓ未満」、「６００Ｋｂｐｓ以上かつ１Ｍｂｐｓ未満」および「１Ｍｂｐｓ以上」のそれぞれに応じて異なる色で表される。
【００４８】
現在位置３０２は、携帯電話１の現在の位置を示す。
【００４９】
表示説明３０３は、品質情報３０１の見方を説明する。具体的には、表示説明３０３は、通信品質が最も良いエリアの色と、通信品質が最も悪いエリアの色と、ブロックの一辺の長さが表す実距離と、を示している。なお、表示説明３０３は、通信品質による色分けをより詳細に示してもよい。
【００５０】
この場合、ＣＰＵ１０７は、位置情報検出部１０１が取得した位置情報の緯度および経度から現在位置３０２を求める。
【００５１】
次に、サーバ２の構成について説明する。
【００５２】
図４は、サーバ２の構成例を示したブロック図である。図４において、サーバ２は、格納部２０１と、通信部２０２と、測定部２０３と、管理部２０４とを含む。
【００５３】
格納部２０１は、過去の受信品質と、地理情報と、が位置情報ごとに対応付けられたデータベースを記憶する。地理情報は、基地局３を示す基地局情報と、通信の障害物に関する障害物情報とを含む。障害物は、例えば、建物、山および谷などであり、障害物情報は、その障害物の大きさおよび形状を示す。なお、地理情報は、サーバ２の管理者により、実際の地理に応じて予め記憶される。
【００５４】
通信部２０２は、携帯電話１から、取得指示、登録指示、位置情報、受信品質、識別子および規定情報を受信する。
【００５５】
測定部２０３は、基地局３の通信トラフィックを基地局３ごとに測定する。通信トラフィックは、具体的には、その基地局３にＨＳＤＰＡ通信で接続している携帯電話１の数である。
【００５６】
管理部２０４は、通信部２０２が登録指示、受信品質および位置情報を受信するたびに、その受信品質をその位置情報に対応付けて格納部２０１に記憶する。このとき、管理部２０４は、その受信品質を、データベースの過去の受信品質として記憶する。
【００５７】
また、管理部２０４は、通信部２０２が取得指示、位置情報、識別子および規定情報を受信すると、通信品質が、少なくともその受信された位置情報が示す位置を含む対象範囲内の位置を示す位置情報ごとに対応付けられた品質情報を生成する。このとき、管理部２０４は、その位置情報と、その規定情報と、格納部２０１内のデータベースと、測定部２０３が測定した通信トラフィックとを用いて、その品質情報を生成する。
【００５８】
品質情報の生成方法の一例を説明する。
【００５９】
先ず、管理部２０４は、通信部２０２が受信した位置情報および規定情報に基づいて、対象範囲を特定する。例えば、管理部２０４は、受信した位置情報が示す位置を重心とし、受信した規定情報が示す長さを一辺とする正方形を対象範囲として特定する。
【００６０】
この場合、対象範囲の大きさは、規定情報が規定する表示範囲の大きさと同じになる。このため、携帯電話１のＣＰＵ１０７は、品質情報を変換する際に、表示する範囲を変換しなくても良くなる。
【００６１】
続いて、管理部２０４は、特定した対象範囲を地図で表す。管理部２０４は、その受信した位置情報と、格納部２０１内のデータベースの地理情報とに基づいて、その地図上に携帯電話１、基地局３および障害物のそれぞれの位置をマッピングする。
【００６２】
図５ａは、携帯電話１、基地局３および障害物のそれぞれ位置がマッピングされた地図を示す説明図である。
【００６３】
図５ａでは、地図５０１が示されている。地図５０１において、対象範囲内の位置のそれぞれは、正方形のブロックで表されている。また、地図５０１において、Ａは、携帯電話１の位置を表し、Ｂは、障害物の位置を表し、Ｃは、基地局の位置を表す。
【００６４】
なお、対象範囲は、Ｃの位置の基地局の通信範囲に含まれるとする。また、その基地局の通信トラフィックを、１０とする。
【００６５】
続いて、管理部２０４は、その対象範囲内の位置ごとに、その位置を示す位置情報と対応付けられた過去の受信品質に応じて、現在の通信品質を予測する。例えば、管理部２０４は、受信品質が高いほど、通信品質を高くなるように、現在の通信品質を予測する。管理部２０４は、その位置ごとの通信品質を、地図上に表す。
【００６６】
図５ｂは、通信品質を表した地図を示した説明図である。なお、図５ｂにおいて、図５ａと同じものには同じ符号が付してある。図５ｂにおいて、通信品質は、位置を示すブロック内に記載している。
【００６７】
さらに、管理部２０４は、その対象範囲内の位置を示す位置情報と対応付けられた地理情報に基づいて、地図上に表した通信品質を修正する。例えば、管理部２０４は、基地局の位置Ｃと、障害物の位置Ｂと、その障害物の大きさおよび形状から、その障害物によって通信品質が下がる位置を予測する。管理部２０４は、その予測した位置の通信品質を下げる。
【００６８】
図５ｃは、障害物に応じて通信品質を修正した地図を示した説明図である。図５ｃにおいて、図５ａと同じものには同じ符号が付してある。図５ｃにおいて、修正された通信品質には、下線が付してある。
【００６９】
さらに、管理部２０４は、その対象範囲内の位置を示す位置情報と対応付けられた基地局情報が示す基地局の通信トラフィックを測定部２０３から取得し、その通信トラフィックに応じて、地図上に表した通信品質を修正する。
【００７０】
例えば、管理部２０４は、通信トラフィックが所定値より大きい場合、通信トラフィックが大きいほど、通信品質を小さくし、通信トラフィックが所定値より小さい場合、通信トラフィックが小さいほど、通信品質を大きくする。
【００７１】
図５ｄは、通信トラフィックに応じて通信品質をさらに修正した地図を示した説明図である。図５ｄにおいて、図５ａと同じものには同じ符号が付してある。図５ｄにおいて、修正された通信品質には、下線が付してある。なお、Ｃの位置の基地局の通信トラフィック「１０」は、所定値より大きいとしている。
【００７２】
管理部２０４は、その通信トラフィックに応じて修正された通信品質を、その通信品質の位置を示す位置情報ごとに対応付けて品質情報を生成する。
【００７３】
なお、品質情報の生成方法は、上記の例に限らず、適宜変更可能である。例えば、対象範囲外の障害物による、対象範囲内の位置のそれぞれの通信品質の影響を考慮してもよい。
【００７４】
図４に戻る。管理部２０４は、その品質情報を、その識別子にて特定される携帯電話１に通知する。
【００７５】
また、管理部２０４は、品質情報を通知すると、品質情報を更新する更新処理を行う。
【００７６】
以下、更新処理について説明する。
【００７７】
第一の更新処理では、先ず、管理部２０４は、定期的に、その識別子にて特定される携帯電話１から、その携帯電話１における受信品質を取得する。具体的には、管理部２０４は、その携帯電話１に品質取得指示を送信し、その後、通信部２０２が受信品質を受信すると、その受信品質を取得する。
【００７８】
続いて、管理部２０４は、その通知周期で、その携帯電話１から、その携帯電話１の現在位置を示す位置情報と、規定情報とを取得し、その位置情報を用いて品質情報を生成する。具体的には、管理部２０４は、その携帯電話１に位置情報取得指示を送信し、その後、通信部２０２が位置情報および規定情報を受信すると、その位置情報および規定情報を取得する。
【００７９】
なお、管理部２０４は、通知周期を、一定の期間ごとに更新する、その受信品質が変化するたびに更新する、または、品質情報を通知するたびに更新するなどを行ってもよい。
【００８０】
第二の更新処理では、先ず、管理部２０４は、定期的に、その識別子にて特定される携帯電話１から、その携帯電話１の現在位置を示す位置情報を取得する。
【００８１】
続いて、管理部２０４は、複数の位置情報を取得すると、その複数の位置情報に基づいて、その携帯電話１の移動速度を求め、その移動速度に応じた通知周期を求める。例えば、管理部２０４は、移動速度が大きいほど短い通知周期を求める。これは、移動速度が大きいほど、通信品質の変化が大きいためである。
【００８２】
さらに、管理部２０４は、その通知周期で、その取得した位置情報を用いて品質情報を生成し、その品質情報を、その携帯電話１に通知する。
【００８３】
なお、管理部２０４は、通知周期を、一定の期間ごとに更新する、その移動速度が変化するたびに更新する、品質情報を通知するたびに更新するなどを行ってもよい。
【００８４】
第三の更新処理では、先ず、管理部２０４は、定期的に、その識別子にて特定される携帯電話１から、その携帯電話１の現在位置を示す位置情報を取得する。
【００８５】
続いて、管理部２０４は、その位置情報と、格納部２０１内のデータベースの障害物情報とに基づいて通知周期を求める。例えば、管理部２０４は、その位置情報が示す位置から、その位置に最も近く、かつ、所定値より大きい障害物までの対障害物距離を求め、その対障害物距離に応じて通知周期を求める。さらに言えば、管理部２０４は、その対障害物距離が小さいほど短い通知周期を求める。これば、対障害物距離が短いほど、通信品質の変化が大きいためである。
【００８６】
続いて、管理部２０４は、その通知周期で、その取得した位置情報を用いて品質情報を生成し、その品質情報を、その携帯電話１に通知する。
【００８７】
なお、管理部２０４は、通知周期を、一定の期間ごとに更新する、対障害物距離が変化するたびに更新する、または、品質情報を通知するたびに更新するなどを行ってもよい。
【００８８】
次に動作を説明する。
【００８９】
先ず、位置情報および受信品質を記憶する動作を説明する。
【００９０】
ＣＰＵ１０７は、位置情報検出部１０１から位置情報を受け付け、ＢａｓｅＢａｎｄ部１０５から受信品質を受け付ける。
【００９１】
ＣＰＵ１０７は、定期的に、登録指示を生成し、その登録指示、位置情報および受信品質を、ＢａｓｅＢａｎｄ部１０５、ＲＦ部１０４および基地局３を介してサーバ２の通信部２０２に通知する。
【００９２】
通信部２０２は、その登録指示、位置情報および受信品質を受信すると、その登録指示、位置情報および受信品質を管理部２０４に通知する。
【００９３】
管理部２０４は、その登録指示、位置情報および受信品質を受信すると、その位置情報および受信品質を格納部２０１に記憶する。
【００９４】
次に、ＨＳＤＰＡ通信の開始時における品質情報を表示する動作を説明する。
【００９５】
図６は、この動作例を説明するためのフローチャートである。
【００９６】
ステップＳ６０１では、ＣＰＵ１０７は、位置情報検出部１０１から位置情報を受け付けると、記憶部１０６から識別子および規定情報を取得し、取得指示を生成する。ＣＰＵ１０７は、その取得指示、位置情報、識別子および規定情報をＢａｓｅＢａｎｄ部１０５、ＲＦ部１０４および基地局３を介して、サーバ２の通信部２０２に通知する。通信部２０２は、その取得指示、位置情報、識別子および規定情報を受信すると、ステップＳ６０２を実行する。
【００９７】
ステップＳ６０２では、通信部２０２は、その取得指示、位置情報、識別子および規定情報を管理部２０４に通知する。
【００９８】
管理部２０４は、その取得指示、位置情報、識別子および規定情報を受信すると、その位置情報と、その規定情報と、格納部２０１内のデータベースと、測定部２０３が測定した基地局ごとの通信トラフィックとを用いて、通信品質が、少なくともその位置情報が示す位置を含む対象範囲内の位置ごとに対応付けられた品質情報を生成する。管理部２０４は、品質情報を生成すると、ステップＳ６０３を実行する。
【００９９】
ステップＳ６０３では、管理部２０４は、その品質情報を、通信部２０２および基地局３を介して、その識別子にて特定される携帯電話１のＲＦ部１０４に通知する。管理部２０４は、品質情報を通知すると、その識別子を格納部２０１に記憶する。
【０１００】
このとき、管理部２０４は、その識別子にその規定情報を対応付けて記憶してもよい。
【０１０１】
また、ＲＦ部１０４は、その品質情報を受信すると、その品質情報を、ＢａｓｅＢａｎｄ部１０５を介してＣＰＵ１０７に通知する。ＣＰＵ１０７は、その品質情報を受信すると、ステップＳ６０４を実行する。
【０１０２】
ステップＳ６０４では、ＣＰＵ１０７は、記憶部１０６内の形式情報を確認し、その形式情報が示す表示形式にその品質情報を変換する。ＣＰＵ１０７は、品質情報を変換すると、ステップＳ６０５を実行する。
【０１０３】
ステップＳ６０５では、ＣＰＵ１０７は、その変換した品質情報をＬＣＤ１０８に表示し、動作を終了する。
【０１０４】
次に、更新処理における通信システムの動作を説明する。
【０１０５】
第一の更新処理では、管理部２０４は、定期的に、格納部２０１内の識別子にて特定される携帯電話１から、その携帯電話１のＢａｓｅＢａｎｄ部１０５が取得した受信品質を取得する。
【０１０６】
続いて、管理部２０４は、その受信品質に応じて、通知周期を求める。管理部２０４は、その通知周期で、その携帯電話１からその携帯電話１の位置情報および規定情報を取得する。
【０１０７】
さらに、管理部２０４は、その位置情報および規定情報と、格納部２０１内のデータベースと、測定部２０３が測定した通信トラフィックとを用いて、その品質情報を生成する。管理部２０４は、その品質情報を、通信部２０２および基地局３を介して、その携帯電話１のＲＦ部１０４に通知する。ＲＦ部１０４は、その品質情報を受信すると、その品質情報を、ＢａｓｅＢａｎｄ部１０５を介してＣＰＵ１０７に通知する。ＣＰＵ１０７は、その品質情報を受信すると、ステップＳ６０４を実行する。その後、Ｓ６０５が実行される。
【０１０８】
第二の更新処理では、管理部２０４は、定期的に、格納部２０１内の識別子にて特定される携帯電話１から、その携帯電話１の現在の位置を示す位置情報および規定情報を取得する。
【０１０９】
続いて、管理部２０４は、複数の位置情報に基づいて、携帯電話１の移動速度を求める。例えば、管理部２０４は、二つの位置情報が示す位置間の距離を求め、その距離を、それらの位置情報を取得した時間差で除算してその移動速度を求める。
【０１１０】
その後、管理部２０４は、その移動速度に応じて通知周期を求める。管理部２０４は、その通知周期の時間長が経過するたびに、そのときに取得した位置情報および規定情報と、格納部２０１内のデータベースと、測定部２０３が測定した通信トラフィックとを用いて、その品質情報を生成する。管理部２０４は、その品質情報を、通信部２０２および基地局３を介して、その携帯電話１のＲＦ部１０４に通知する。ＲＦ部１０４は、その品質情報を受信すると、その品質情報を、ＢａｓｅＢａｎｄ部１０５を介してＣＰＵ１０７に通知する。ＣＰＵ１０７は、その品質情報を受信すると、ステップＳ６０４を実行する。その後、Ｓ６０５が実行される。
【０１１１】
次に第三の更新処理における通信システムの動作を説明する。
【０１１２】
第三の更新処理では、管理部２０４は、定期的に、格納部２０１内の識別子にて特定される携帯電話１から、その携帯電話１の現在位置を示す位置情報および規定情報を取得する。管理部２０４は、その位置情報と、格納部２０１内のデータベースの障害物情報とに基づいて通知周期を求める。
【０１１３】
その後、管理部２０４は、通知周期を求めると、管理部２０４は、その通知周期の時間長が経過するたびに、そのときに取得した位置情報および規定情報と、格納部２０１内のデータベースと、測定部２０３が測定した通信トラフィックとを用いて、その品質情報を生成する。管理部２０４は、その品質情報を、通信部２０２および基地局３を介して、その携帯電話１のＲＦ部１０４に通知する。ＲＦ部１０４は、その品質情報を受信すると、その品質情報を、ＢａｓｅＢａｎｄ部１０５を介してＣＰＵ１０７に通知する。ＣＰＵ１０７は、その品質情報を受信すると、ステップＳ６０４を実行する。その後、Ｓ６０５が実行される。
【０１１４】
なお、ステップＳ６０３で規定情報が識別情報と対応付けられて記憶されていれば、各更新処理において、管理部２０４は、規定情報を携帯電話から取得する代わりに、格納部２０１から取得する。
【０１１５】
次に、品質情報の表示形式の他の例を説明する。
【０１１６】
図７は、表示された品質情報の他の例を示した説明図である。
【０１１７】
図７では、ＬＣＤ１０８には、通常の画面７０１と、品質情報７０２とが表示されている。通常の画面７０１は、品質情報７０２と異なるデータを表示するエリアである。例えば、通常の画面７０１には、ＨＳＤＰＡ通信で受信したデータが表示される。
【０１１８】
品質情報７０２は、通信品質が最も良い位置を指す矢印である。
【０１１９】
図７のような表示形式で品質情報を表示する場合、ＣＰＵ１０７は、位置情報検出部１０１が取得した位置情報と、水平情報検出部１０２が取得した傾き情報、および、方位情報検出部１０３が取得した方位情報を用いて、通信品質が最も良い位置を指す矢印の向きを決定する。この場合、ＣＰＵ１０７は、品質情報７０２をＬＣＤ１０８に表示した後で、その位置情報、傾き情報および方位情報の少なくともいずれか一つが変化すると、その変化に応じて、矢印の向きを変更することが望ましい。
【０１２０】
図８は、表示された品質情報の他の例を示した説明図である。
【０１２１】
図８では、ＬＣＤ１０８には、品質情報８０１と、表示説明８０２とが表示されている。
【０１２２】
品質情報８０１の位置情報は、立方体のブロックとして表される。また、品質情報８０１の通信品質は、その通信品質に応じて異なる、そのブロックの色で表される
表示説明８０２は、品質情報８０１の見方を説明する。具体的には、表示説明は、通信品質が最も良いエリアの色と、通信品質が最も悪いエリアの色と、ブロックの一辺の長さが表す実距離を示している。なお、表示説明８０２は、通信品質による色分けをより詳細に示してもよい。
【０１２３】
図８のような表示形式で品質情報を表す場合、ＣＰＵ１０７は、位置情報検出部１０１が検出した現在の位置と、を用いて品質情報の表示形式を変換する。
【０１２４】
この場合、ＣＰＵ１０７は、位置情報検出部１０１が取得した位置情報の緯度、経度および高度から現在位置３０２を求める。
【０１２５】
次に効果を説明する。
【０１２６】
本実施例によれば、位置情報検出部１０１は、携帯電話１の現在の位置を示す位置情報を取得する。ＣＰＵ１０７は、その位置情報を通知する。通信部２０２がその位置情報を受信すると、管理部２０４は、その位置情報と、格納部２０１内のデータベースとに基づいて、ＨＳＤＰＡ通信による通信品質が、少なくともその現在の位置を含む範囲内の位置を示す位置情報ごとに対応付けられた品質情報を生成し、その品質情報を携帯電話１に通知する。ＲＦ部１０４がその品質情報を受信すると、ＬＣＤ１０８は、その品質情報を表示する。
【０１２７】
この場合、少なくとも携帯電話１の現在の位置含む範囲内の位置を示す位置情報ごとに、ＨＳＤＰＡ通信による通信品質が対応付けられた品質情報が、携帯電話１に通知される。また、ＨＳＤＰＡ通信による通信品質は、電界環境に依存する。したがって、ＨＳＤＰＡ通信において、電界環境がよいエリアを知ることが可能になる。
【０１２８】
また、本実施例では、測定部２０３は、基地局の通信トラフィックを測定する。管理部２０４は、その通信トラフィックをさらに用いて品質情報を生成する。
【０１２９】
この場合、通信トラフィックは通信品質（電界環境）に影響を与えるので、より正確に通信品質を求めることが可能になる。
【０１３０】
また、本実施例では、データベースは、障害物情報が位置情報ごとに対応付けられている。この場合、障害物は、通信品質（電界環境）に影響を与えるので、より正確に通信品質を求めることが可能になる。
【０１３１】
また、本実施例では、管理部２０４は、定期的に、その識別子にて特定される携帯電話１から、その携帯電話１における受信品質を取得し、その受信品質に応じて、通知周期を求める。管理部２０４は、その通知周期で品質情報を生成する。
【０１３２】
この場合、品質情報が、受信品質に応じた通知周期で生成される。このため、例えば、受信品質が低いほど頻繁に品質情報を通知することが可能になる。
【０１３３】
また、本実施例では、管理部２０４は、定期的に、その識別子にて特定される携帯電話１から、その携帯電話１の現在位置を示す位置情報を取得する。管理部２０４は、その取得した位置情報に基づいて、その携帯電話１の移動速度を求め、その移動速度に応じた通知周期を求める。管理部２０４は、その通知周期で、その品質情報を生成する。
【０１３４】
この場合、品質情報が、携帯端末の移動速度に応じた通知周期で生成される。このため、例えば、携帯電話１の移動速度が速いほど、頻繁に品質情報を通知することが可能になる。したがって、携帯電話１の移動速度が速いほど、通信品質が頻繁に変化するので、品質情報を、通信品質の変化の速さに応じた頻度で通知することが可能になる。
【０１３５】
また、本実施例では、管理部２０４は、定期的に、その識別子にて特定される携帯電話１から、その携帯電話１の現在位置を示す位置情報を取得する。管理部２０４は、その位置情報と、格納部２０１内のデータベースの障害物情報とに基づいて通知周期を求める。管理部２０４は、その通知周期で品質情報を生成する。
【０１３６】
この場合、品質情報が、位置情報と障害物情報に基づいた通知周期で通知される。このため、例えば、携帯電話１と障害物との距離が近いほど、頻繁に品質情報を通知することが可能になる。したがって、携帯電話１と障害物との距離が近いほど、通信品質が頻繁に変化するので、品質情報を、通信品質の変化の速さに応じた頻度で通知することが可能になる。
【０１３７】
また、本実施例では、管理部２０４は、通信部２０２が受信した受信品質を、通信部２０２が受信した位置情報と対応付けて格納部２０１に記憶する。
【０１３８】
この場合、自動的に過去の受信品質を記憶することが可能になる。
【０１３９】
また、本実施例では、ＲＦ部１０４が品質情報を受信すると、ＣＰＵ１０７は、その品質情報を記憶部１０６内の形式情報が示す表示形式に変換する。ＬＣＤ１０８は、その変換した品質情報を表示する。
【０１４０】
この場合、形式情報が適宜設定されれば、品質情報を、ユーザが所望する表示形式で表示することが可能になる。
【０１４１】
次に、第二の実施例を説明する。
【０１４２】
第一の実施例では、携帯電話１のＣＰＵ１０７が規定情報をサーバ２に通知していたが、本実施例では、ＣＰＵ１０７は、規定情報の通知を行わない。
【０１４３】
この場合、サーバ２の格納部２０１は、対象範囲の大きさを規定する対象規定情報を記憶する。管理部２０４は、対象範囲を特定する際、格納部２０１内の対象規定情報と、通信部２０２が受信した位置情報とに基づいて、対象範囲を特定する。
【０１４４】
また、ＣＰＵ１０７は、品質情報を変換する際、記憶部１０６内の形式情報が含む規定情報に基づいて、対象範囲を表示範囲に限定する。
【０１４５】
また、第一の実施例では、サーバ２が主体的に更新処理を行っていたが、本実施例では、携帯電話１が主体的に更新処理を行う。
【０１４６】
ステップＳ６０５でＣＰＵ１０７は、変換した品質情報をＬＣＤ１０８に表示すると、以下の更新処理を行う。
【０１４７】
第四の更新処理では、先ず、ＣＰＵ１０７は、定期的に、ＢａｓｅＢａｎｄ部１０５が検出した受信品質が予め定められた基準品質より大きいか否かを判定する。ＣＰＵ１０７は、その受信品質が予め定められた基準品質より小さいと、取得指示と、そのときに位置情報検出部１０１が取得した位置情報と、記憶部１０６内の識別子をサーバ２に通知する。
【０１４８】
第五の更新処理では、ＣＰＵ１０７は、定期的に、位置情報検出部１０１から位置情報を受け付け、それらの位置情報から、携帯電話１の移動速度を求める。ＣＰＵ１０７は、その移動速度が予め定められた基準速度より大きいか否かを判定する。ＣＰＵ１０７は、その移動速度がその基準速度より大きいと、取得指示と、そのときに位置情報検出部１０１が取得した位置情報と、記憶部１０６内の識別子とをサーバ２に通知する。
【０１４９】
第六の更新処理では、ＣＰＵ１０７は、定期的に、サーバ２の格納部２０１にアクセスして、格納部２０１内のデータベースを参照する。ＣＰＵ１０７は、そのときに位置情報検出部１０１が取得した位置情報とそのデータベースとに基づいて、その位置情報が示す位置から、その位置に最も近い障害物まで距離を求める。ＣＰＵ１０７は、その距離が予め定められた基準距離より大きいか否かを判定する。ＣＰＵ１０７は、その距離がその基準距離より小さいと、取得指示と、そのときに位置情報検出部１０１が取得した位置情報と、記憶部１０６内の識別子をサーバ２に通知する。
【０１５０】
この場合、このため、携帯端末が障害物に近い場合に、品質情報を表示することが可能になる。よって、通信品質が頻繁に変化する場合に品質情報を表示することが可能になる。
【０１５１】
第七の更新処理では、記憶部１０６は、表示更新周期を記憶する。ＣＰＵ１０７は、その表示更新周期で、取得指示と、そのときに位置情報検出部１０１が取得した位置情報と、記憶部１０６内の識別子とをサーバ２に通知する。
【０１５２】
なお、第一ないし第七の更新処理は、少なくともいずれか一つが行われればよい。
【０１５３】
次に効果を説明する。
【０１５４】
本実施例によれば、ＣＰＵ１０７は、記憶部１０６内の表示更新周期で、取得指示および位置情報をサーバ２に通知する。
【０１５５】
この場合、ユーザが特別な操作を行わなくても、品質情報を表示することが可能になる。
【０１５６】
また、本実施例では、ＣＰＵ１０７は、定期的に、ＢａｓｅＢａｎｄ部１０５が検出した受信品質が基準品質以上か否かを判定し、その受信品質がその基準品質未満であると、取得指示及び位置情報をサーバ２に通知する。
【０１５７】
この場合、取得指示及び位置情報が、受信品質がその基準品質未満であると通知される。受信品質が悪い場合に、品質情報を表示することが可能になる。
【０１５８】
また、本実施例では、ＣＰＵ１０７は、定期的に、位置情報検出部１０１が取得した位置情報から携帯電話１の移動速度を求め、その移動速度が基準速度以上か否かを判定する。ＣＰＵ１０７は、その移動速度がその基準速度以上であると、取得指示および位置情報をサーバ２に通知する。
【０１５９】
この場合、取得指示及び位置情報が、携帯電話１の移動速度がその基準速度以上であると通知される。このため、携帯電話１の位置が頻繁に変化する場合に、品質情報を表示することが可能になる。よって、通信品質が頻繁に変化する場合に品質情報を表示することが可能になる。
【０１６０】
以上説明した実施例において、図示した構成は単なる一例であって、本発明はその構成に限定されるものではない。
【０１６１】
例えば、位置情報検出部１０１は、ＲＴＫ―ＧＰＳ(Real Time Kinematic GPS：リアルタイムキネマティックＧＰＳ)機能を有していてもよい。
【０１６２】
また、格納部２０１内のデータベースは、通信部２０２、測定部２０３および管理部２０４と、独立した筐体を有する格納装置に記憶されてもよい。
【図面の簡単な説明】
【０１６３】
【図１】本発明の一実施例の通信システムを示したブロック図である。
【図２】携帯電話の構成例を示したブロック図である。
【図３】ＬＣＤに表示された品質情報の一例を示した説明図である。
【図４】サーバの構成例を示したブロック図である。
【図５ａ】基地局および障害物がマッピングされた地図を示す説明図である。
【図５ｂ】通信品質を表した地図を示した説明図である。
【図５ｃ】障害物に応じて通信品質を修正した地図を示した説明図である。
【図５ｄ】通信トラフィックに応じて通信品質を修正した地図を示した説明図である
【図６】通信システムの動作例を説明するためのフローチャートである。
【図７】ＬＣＤに表示された品質情報の他の例を示した説明図である。
【図８】ＬＣＤに表示された品質情報の他の例を示した説明図である。
【符号の説明】
【０１６４】
１        携帯電話
２        サーバ
３        基地局
１０１    位置情報検出部
１０２    水平情報検出部
１０３    方位情報検出部
１０４    ＲＦ部
１０５    ＢａｓｅＢａｎｄ部
１０６    記憶部
１０７    ＣＰＵ
１０８    ＬＣＤ
２０１    格納部
２０２    通信部
２０３    測定部
２０４    管理部
【図１】
2008288777.tif 000003
【図２】
2008288777.tif 000004
【図３】
2008288777.tif 000005
【図４】
2008288777.tif 000006
【図５ａ】
2008288777.tif 000007
【図５ｂ】
2008288777.tif 000008
【図５ｃ】
2008288777.tif 000009
【図５ｄ】
2008288777.tif 000010
【図６】
2008288777.tif 000011
【図７】
2008288777.tif 000012
【図８】
2008288777.tif 000013